(57)【要約】【課題】長尺の受金具と吊り紐とを有したパレット吊上げ補助具において、取り扱いが簡便で且つ使用勝手を良好にし得るようにしたものを提供すること。【解決手段】パレット１の上面板１１の下方に設けた貫通開口部１２に挿通される２セット１組の吊持具２，２を用いたパレット吊上げ補助具において、各吊持具２，２は、パレット１の貫通開口部１２の長さより長い棒状の受金具３と、該受金具３に対して受金具長さ方向にスライド自在にガイドさせた１本の吊り紐４とを有したものであるとともに、吊り紐４は受金具３に対して抜け出し不能に装着されていることを特徴としている。そして、受金具３と吊り紐４とが一体化していることによって取り扱いが簡便となり、且つ吊り紐４が受金具３に対してスライドできることによって使用勝手が良好となる。【選択図】  図１
2015086032.tif 000002
【特許請求の範囲】
【請求項１】
パレット（１）の上面板（１１）の下方に設けた貫通開口部（１２）に挿通される２セット１組の吊持具（２，２）を用いたパレット吊上げ補助具であって、
上記各吊持具（２，２）は、上記パレット（１）の上記貫通開口部（１２）の長さより長い棒状の受金具（３）と、該受金具（３）に対して受金具長さ方向にスライド自在にガイドさせた１本の吊り紐（４）とを有したものであるとともに、
上記吊り紐（４）は上記受金具（３）に対して抜け出し不能に装着されている、
ことを特徴とするパレット吊上げ補助具。
【請求項２】
請求項１において、
所定長さの棒状部（５１）の両端部に２セット１組とする上記各受金具（３，３）の端部付近をそれぞれ係脱自在に保持し得る各保持部（５２，５２）を設けた間隔保持材（５）を２セット使用している、
ことを特徴とするパレット吊上げ補助具。
【発明の詳細な説明】
【技術分野】
【０００１】
本願発明は、荷物をパレット上に載せた状態でパレットごと吊上げるためのパレット吊上げ補助具に関するものである。
【背景技術】
【０００２】
例えば、荷物をトラック荷台に積み込み・積み降ろしする際には、該荷物をパレット上に載せた状態で該パレットごと揚重装置（例えばクレーン）で吊上げて行うが、そのとき２セット１組のパレット吊上げ補助具が使用される。
【０００３】
図６には、従来の一般的なパレット吊上げ方法を示している。この図６に示す従来のパレット吊上げ方法で使用されるパレット吊上げ補助具は、２本の鋼管３Ａ，３Ａと４本の吊り紐４Ａ，４Ａ・・とを用いている。
【０００４】
そして、図６に示す従来のパレット吊上げ方法では、パレット１上に荷物（図示省略）を載せ、該パレット１の上面板１１の下方に設けた貫通開口部１２における間口方向（Ａ−Ｂ方向）の両端寄り位置にそれぞれ受金具（丸鋼管）３Ａ，３Ａを貫通状態で挿通させ、該各受金具３Ａ，３Ａの各端部（合計４箇所）にそれぞれ吊り紐４Ａ，４Ａ・・の端部４Ｂ（例えばリング状の引っ掛け部）を掛止し、各吊り紐４Ａ，４Ａ・・の上端部を例えばクレーンのフック１０に保持させて、該クレーンでパレット１ごと荷物を吊上げるようにしている。
【０００５】
尚、荷物の吊上げ補助具の公知例として、特開平３−１３４９５号公報に示されるものがあるが、この公知例の吊上げ補助具（発明の名称：吊上げ金具）は、棒状の受金具の両端部にそれぞれ吊り紐の端部を係脱自在に掛止（連結）し得るようにしたものを２セット使用している。そして、この公知例の吊上げ金具は、受金具の両端部にそれぞれ吊り紐の端部を連結して吊上げ金具を一体化した状態で、両吊上げ金具の各受金具を直接荷物の下面（間隔をもった２位置）にあてがい、各吊り紐（４本）の上端部をクレーンのフックに保持させるようにして使用される。
【先行技術文献】
【特許文献】
【０００６】
【特許文献１】特開平３−１３４９５号公報
【発明の概要】
【発明が解決しようとする課題】
【０００７】
ところで、上記した図６の従来例のパレット吊上げ補助具（上記特許文献１の吊上げ金具も同様）では、次のような欠点があった。
【０００８】
(１)  パレット吊上げ補助具を構成する各受金具３Ａ，３Ａ（２本）と各吊り紐４Ａ，４Ａ・・（４本）とが別体となっているので、持ち運び時に部品点数が多く（合計６点）なって取り扱いが繁雑となる。
【０００９】
(２)  パレット吊上げ補助具をパレット１に装着するとき（及びパレット１から離脱させるとき）に、各吊り紐４Ａの各端部４Ｂ（４箇所）を受金具３Ａ，３Ａの端部に対してそれぞれ掛止する（離脱時には取外す）作業が必要となるので、その各吊り紐端部４Ｂ，４Ｂ・・の掛止作業（又は取外し作業）が面倒である。
【００１０】
(３)  フック１０を上動させて各吊り紐４Ａ，４Ａ・・を緊張させるまでは、各吊り紐端部４Ｂ，４Ｂ・・（４つ）が受金具３Ａの端部から外れないように掛止状態を維持させておく必要があるが、この係止維持は一般に作業員の手作業で行っているので、その掛止維持のための人員が必要となる。
【００１１】
(４)  各受金具３Ａ，３Ａは、パレット１の貫通開口部１２内に挿通させた状態において特に移動を拘束するものがないので、各受金具３Ａ，３Ａが不自然な位置に移動したり（相互に近接側に寄る）又は傾斜姿勢になることがあり、各受金具３Ａ，３Ａがそれらの異常姿勢で持ち上げられると、吊上げバランスが狂って危険を伴うことがある。
【００１２】
そこで、本願発明は、長尺の受金具と吊り紐とを有した２セット１組の吊持具を使用したパレット吊上げ補助具において、取り扱いが簡便で且つ使用勝手が良好となるとともに、両吊持具を確実に安定姿勢に維持させ得るようにすることを目的としてなされたものである。
【課題を解決するための手段】
【００１３】
本願発明は、上記課題を解決するための手段として次の構成を有している。
【００１４】
［本願請求項１の発明］
本願請求項１の発明は、添付図面（図１〜図５）に例示するように、パレット１の上面板１１の下方に設けた貫通開口部１２に挿通される２セット１組の吊持具２，２を用いたパレット吊上げ補助具を対象にしたものである。
【００１５】
そして、この請求項１のパレット吊上げ補助具は、上記各吊持具２，２として、パレット１の貫通開口部１２の長さより長い棒状の受金具３と、該受金具３に対して受金具長さ方向にスライド自在にガイドさせた１本の吊り紐４とを有したものを使用しているとともに、上記吊り紐４は上記受金具３に対して抜け出し不能に装着されていることを特徴としている。
【００１６】
上記受金具３には、例えば金属パイプのような高剛性（撓みにくい）の棒状体を使用することができる。又、この受金具３の長さは、パレット１の大きさに応じてその貫通開口部１２の長さよりやや長い長さ（例えば貫通開口部１２の長さより１０〜１５cm程度長い長さ）に設定される。
【００１７】
他方、上記吊り紐４には、例えば帯状ベルト（スリングベルトと称されている）を使用することができる。そして、この吊り紐４は、棒状の受金具３に対して受金具長さ方向にスライド自在にガイドされているが、そのガイド方法としては、例えば受金具３の下面側の長さ方向複数箇所に該受金具下面から若干隙間を隔ててガイド部材３２，３２，３２を設けることで、該各ガイド部材３２で吊り紐４を受金具３の下面側においてスライド自在にガイドすることができる。又、この各吊り紐４，４には、受金具３の両端からの吊り紐延出長さを同じにするための位置決め用（センター出し用）のストッパーを設けておくとよい。
【００１８】
この請求項１のパレット吊上げ補助具は、次のように使用される。まず、各吊持具２，２（各受金具３，３）をパレット１（荷物を載せている）の貫通開口部１２内の間口方向両端寄り付近に平行姿勢で挿通させるが、その挿通時には、吊り紐４の一端側が受金具３の一方の端部に近接する位置まで該吊り紐４を一方側にスライドさせておき、その状態で吊持具２の受金具３を吊り紐端部近接側からパレットの貫通開口部１２内に挿入させるとよい。
【００１９】
そして、両吊持具２，２をパレット１の貫通開口部１２内に設置した状態で、各受金具３，３に対して各吊り紐４，４をスライド調整して該吊り紐４のそれぞれ端部側（４本）の延出長さを同じにし、該各吊り紐４，４のそれぞれの端部（４つ）を揚重装置（例えばクレーン）のフックに掛止し、その状態で該フックを持ち上げることで荷物をパレット１ごと吊上げることができる。
【００２０】
このパレット吊上げ状態では、各受金具３，３がパレットの上面板１１の下面における貫通開口部１２の全長に亘って接触しており、パレット上面板１１を長い範囲で支持できる（上面板１１の端板に集中応力が発生しない）。
【００２１】
［本願請求項２の発明］
本願請求項２の発明は、上記請求項１のパレット吊上げ補助具において、所定長さの棒状部５１の両端部に２セット１組とする上記各受金具３，３の端部付近をそれぞれ係脱自在に保持し得る各保持部５２，５２を設けた間隔保持材５を２セット使用していることを特徴としている。
【００２２】
この２セットの間隔保持材５，５は、２セット１組の吊持具２，２をパレット１の貫通開口部１２内に所定間隔をもたせて挿通させた状態で、２本の各受金具３，３における同じ側の端部同士をそれぞれ連結することで、両受金具３，３を所定間隔をもたせた平行状態で姿勢維持させることができる。
【発明の効果】
【００２３】
［本願請求項１の発明の効果］
この請求項１のパレット吊上げ補助具は、２セット１組とする各吊持具２，２として、棒状の受金具３に対して吊り紐４をスライド自在にガイドさせたものを使用し、さらに吊り紐４は受金具３に対して抜け出し不能に装着されているので、次の各効果がある。
【００２４】
まず、吊持具２を構成する受金具３と吊り紐４とが分離不能となっているので、持ち運び時に部品点数が少なく（合計２点）なって取り扱いが容易となる。
【００２５】
又、吊持具２をパレット１に装着するとき（及びパレット１から離脱させるとき）に、吊り紐４が受金具３に分離不能に装着されたままであるので、該吊り紐４を受金具３に連結する作業及び連結維持操作が不要となり、使用時の取り扱いが簡単になるとともにセット人員も削減できる。
【００２６】
さらに、吊り紐４が受金具３に対してスライド自在となっているので、吊り紐４が受金具３に一体化されたものであっても、吊持具２をパレットの貫通開口部１２内に挿通させる際に、吊り紐４を受金具３に対して一方側にスライドさせておく（受金具３の端部からの吊り紐４の出幅を短くしておく）ことで、該吊り紐４がさほど邪魔にならない（吊持具２のセット作業が容易となる）。
【００２７】
［本願請求項２の発明の効果］
本願請求項２の発明は、上記請求項１のパレット吊上げ補助具において、両受金具３，３間の間隔を保持し得る２セットの間隔保持材５，５を有しているので、２セット１組の吊持具２，２をパレット１の貫通開口部１２内の所定位置（間口方向の両端部付近）に設置した状態で、両受金具３，３の端部同士（長さ方向両端部の２箇所）をそれぞれ間隔保持材５，５で連結することができる。
【００２８】
従って、この請求項２の発明では、上記請求項１の効果に加えて、使用時に両受金具３，３を各間隔保持材５，５で確実に間隔保持させることができる（常に正常な吊上げバランスを確保できる）という効果がある。
【図面の簡単な説明】
【００２９】
【図１】本願実施例のパレット吊上げ補助具の全体斜視図である。
【図２】図１のII−II矢視断面図である。
【図３】図１のIII−III矢視断面図である。
【図４】図１のパレット吊上げ補助具の吊持具をパレットの貫通開口部に挿通させる際の説明図である。
【図５】図１のパレット吊上げ補助具（吊持具）の使用状態説明図である。
【図６】従来のパレット吊上げ補助具の使用状態説明図である。
【発明を実施するための形態】
【００３０】
［実施例］
以下、図１〜図５を参照して本願実施例のパレット吊上げ補助具を説明すると、この実施例のパレット吊上げ補助具は、図１に示すようにパレット１の上面板１１の下方に設けた貫通開口部１２に挿通される２セット１組の吊持具２，２と、使用状態（吊持具設置状態）において両吊持具２，２の間隔を保持するための２セットの間隔保持材５，５とを有して構成されている。
【００３１】
各吊持具２，２は、それぞれ棒状の受金具３と、該受金具３に対して受金具長さ方向にスライド自在にガイドさせた１本の吊り紐４とを有したものを使用している。
【００３２】
受金具３は、断面四角形の金属パイプ製で剛性の高い（撓みにくい）棒状体３１が使用されている。そして、この受金具３（棒状体３１）は、適用されるパレット１の大きさに応じてその貫通開口部１２の長さよりやや長い長さ（例えば貫通開口部１２の長さより１０〜１５cm程度長い長さ）に設定されている。尚、パレット１の大きさは用途に応じて各種のものがあるが、この受金具３の棒状体３１の長さはパレット１の大きさ（貫通開口部１２の長さ）に合わせて設定される。
【００３３】
吊り紐４には、帯状ベルトを使用している。この吊り紐４の両端部には、それぞれ輪状の引っ掛け部４１，４１を設けている。この各引っ掛け部４１，４１は、図５に示すように揚重装置（例えばクレーン）のフック１０に掛止するためのものであるが、該各引っ掛け部４１，４１はベルト端部を輪状にしたものである。
【００３４】
この吊り紐４は、受金具３に対して受金具長さ方向にスライド自在にガイドされているが、この実施例の吊り紐ガイド構造は、受金具３の棒状体３１の下面側の長さ方向複数箇所（３箇所）に断面逆門型のガイド部材３２，３２，３２を取付けて、該各ガイド部材３２，３２，３２の底上面と棒状体３１の下面との隙間に吊り紐４をスライド自在に挿通させている。尚、各ガイド部材３２，３２，３２は、吊り紐４を棒状体３１の下面にあてがった状態で該吊り紐４を下面側から被せるようにして棒状体３１の左右側面にビス止め固定している。
【００３５】
又、この吊り紐４には、受金具３の両端からの吊り紐延出長さを同じにするための位置決め用（センター出し用）のストッパー４２（図２、図４、図５参照）を設けている。即ち、このセンター出し用のストッパー４２は、図２及び図５に示すように、吊り紐４における、受金具３の両端からの吊り紐延出長さが同じになる状態で、受金具３の一端（右側端部）に衝合する位置に取付けられている。そして、例えば図４の状態から吊り紐４の左側端部（左側の引っ掛け部４１）を左方向に引っ張っていくと（吊り紐４が受金具３に対して左方向にスライドしていく）、図２に示すように該ストッパー４２が受金具３の右側端部に衝合してそれ以上左方向にスライドできなくなるが、そのストッパー衝合時点で受金具３の両端からの吊り紐延出長さが同じになるように設定している。
【００３６】
又、この実施例では、吊り紐４における左側の引っ掛け部４１の付け根部分にも、ストッパー４３が設けられているが、このストッパー４３は引っ掛け部４１の付け根がガイド部材３２部分の隙間に食い込むのを阻止するものである。
【００３７】
尚、上記センター出し用のストッパー４２と上記食い込み阻止用のストッパー４３は、吊り紐４が受金具３に対して左右各側に抜け出し不能にする機能を有しているが、吊り紐４を抜け出し不能にする機能は、上記両ストッパー４２，４３がなくても、吊り紐４の両端部に設けた各輪状の引っ掛け部４１，４１でも達成させることができる（各引っ掛け部４１，４１はガイド部材３２部分の隙間を通過できない）。
【００３８】
この実施例のパレット吊上げ補助具では、２セット１組の上記各吊持具２，２に加えて、両受金具３，３の間隔を保持する２セットの間隔保持材５，５を備えている。
【００３９】
この間隔保持材５は、図１及び図３に示すように各受金具３，３をパレット１の貫通開口部１２の間口方向（図１のＡ−Ｂ方向）の両端付近に配置した状態で、該各受金具３，３における同じ側の端部同士を連結するためのものである。そして、この間隔保持材５は、所定長さの棒状部５１の両端部に受金具３の端部付近を係脱自在に保持し得る各保持部５２，５２を設けて構成されている。尚、各保持部５２，５２は、下向きに開口する逆門型形状であって受金具３の端部に対して上方から嵌合させ得るようになっている。尚、この間隔保持材５の各保持部５２，５２の構造は、受金具３の端部付近を係脱自在に保持し得るものであれば、適宜の構造のもの（例えばピンとピン受穴との係合によるもの）を採用できる。
【００４０】
そして、この各間隔保持材５，５は、図１及び図３に示すように、使用時にパレット貫通開口部１２内の適正位置に配置された両受金具３，３における長さ方向両端部同士をそれぞれ棒状部５１両端の各保持部５２，５２で保持する（図３の鎖線図示参照）ことで、両受金具３，３を所定間隔をもたせた平行状態で姿勢維持させることができるようになっている。
【００４１】
この実施例のパレット吊上げ補助具は、次のように使用される。
【００４２】
このパレット吊上げ補助具の使用時には、図１に示すように２セット１組の両吊持具２，２をパレット１の貫通開口部１２内の間口方向（Ａ−Ｂ方向）の両端寄り付近に平行姿勢で挿通させるが、その挿通時には、図４に示すように予め吊り紐４の一端側が受金具３の一方の端部（左端部）に近接する位置まで該吊り紐４を一方側にスライドさせておき、その状態で、図４に鎖線図示（符号３′，４′，４１′）するように受金具を吊り紐端部近接側からパレット１の貫通開口部１２内に挿入させる。尚、各吊持具２，２は、２セットとも同様にパレット１の貫通開口部１２内の所定位置に挿通させるが、その各挿通状態では、各受金具３，３の長さ方向の各端部がパレット１の外形よりそれぞれ所定小長さずつはみ出している。
【００４３】
次に、両吊持具２，２をパレット１の貫通開口部１２内に配置した状態で、２セットの間隔保持材５，５で各受金具３，３のそれぞれ同一側の端部同士を連結することで、両受金具３，３の間隔を保持（平行姿勢に維持）させることができる。
【００４４】
続いて、各受金具３，３に対して各吊り紐４，４をスライド調整して、該吊り紐４のそれぞれ端部側（４本）の延出長さを同じにするが、この各端部側の延出長さの調整は、図４の状態から左側の引っ掛け部４１を左方向に引っ張って、センター出し用のストッパー４２を受金具３の右端部に衝合させることで、正確にセンター出しすることができる。
【００４５】
そして、各吊り紐４，４を各受金具３，３に対してセンター出しした状態で、該各吊り紐４，４のそれぞれの引っ掛け部４１（４つ）を図５に示すように揚重装置（例えばクレーン）のフック１０に掛止し、その状態で該フック１０を持ち上げることで荷物９をパレット１ごと吊上げることができる。
【００４６】
この実施例のパレット吊上げ補助具は、次のような各種の機能を有している。
【００４７】
まず、吊持具２を構成する受金具３と吊り紐４とが分離不能となっているので、持ち運び時に部品点数が少なく（合計２点）なって取り扱いが容易となる。
【００４８】
又、吊持具２をパレット１に装着するとき（及びパレット１から離脱させるとき）に、吊り紐４が受金具３に分離不能に装着されたままであるので、該吊り紐４を受金具３に連結する作業及び連結維持操作が不要となり、使用時の取り扱いが簡単になるとともにセット人員も削減できる。
【００４９】
さらに、吊り紐４か受金具３に対してスライド自在となっているので、吊り紐４が受金具３に一体化されたものであっても、吊持具２をパレットの貫通開口部１２内に挿通させる際に、吊り紐４を受金具３に対して一方側にスライドさせておく（受金具３の端部からの吊り紐４の出幅を短くしておく）ことで、該吊り紐４がさほど邪魔にならない（吊持具２のセット作業が容易となる）。
【００５０】
又、２セット１組の吊持具２，２をパレット１の貫通開口部１２内の所定位置に設置した状態で、両受金具３，３の端部同士（長さ方向両端部の２箇所）をそれぞれ間隔保持材５，５で連結することができるので、使用時に両受金具３，３を各間隔保持材５，５で確実に間隔保持させることができる（常に正常な吊上げバランスを確保できる）。
【符号の説明】
【００５１】
１はパレット、２は吊持具、３は受金具、４は吊り紐、５は間隔保持材、１１はパレットの上面板、１２はパレットの貫通開口部、３１は受金具の棒状体、３２は受金具のガイド部材、４１は吊り紐端部の引っ掛け部、４２はセンター出し用のストッパー、５１は間隔保持材の棒状部、５２は間隔保持材の保持部である。
【図１】
2015086032.tif 000003
【図２】
2015086032.tif 000004
【図３】
2015086032.tif 000005
【図４】
2015086032.tif 000006
【図５】
2015086032.tif 000007
【図６】
2015086032.tif 000008